【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
電極捲回群が収納された缶と、
電解液を注入する注液口を有し、前記缶の開口部を密閉する蓋と、
前記注液口に嵌合され、溶接により前記注液口を封止する注液栓とを有し、
前記注液栓の外表面、および前記注液口に連接する前記蓋の外表面のいずれか一方に、溶接時に溶融される突起が設けられ、
溶接時の前記突起の溶融金属も利用して前記注液栓が前記注液口に溶接され、
前記溶融金属の側方が開放されていることを特徴とする密閉型電池。
【請求項２】
請求項１記載の密閉型電池において、
前記突起は、前記注液栓の外周縁の外表面から突出して環状に形成されていることを特徴とする密閉型電池。
【請求項３】
請求項２記載の密閉型電池において、
前記注液栓の外表面から突設する突起の内側には、前記注液栓の外表面から凹設した環状の溝が形成され、溶接時の溶融金属の一部が前記溝に露出して固化していることを特徴とする密閉型電池。
【請求項４】
請求項１記載の密閉型電池において、
前記突起は、前記注液口の内周面に連接する前記蓋の外表面から突出して環状に形成されていることを特徴とする密閉型電池。
【請求項５】
請求項４記載の密閉型電池において、
前記蓋の外表面から突設する突起の外側には、前記蓋の外表面から凹設した環状の溝が形成され、溶接時の溶融金属の一部が前記溝に露出して固化していることを特徴とする密閉型電池。
【請求項６】
請求項１記載の密閉型電池において、
前記突起は、前記注液栓の外周縁の外表面から突出して環状に形成されている第1の環状突起と、前記注液口の内周面に近接する前記蓋の外表面から突出して環状に形成されている第２の環状突起を含むことを特徴とする密閉型電池。
【請求項７】
請求項６記載の密閉型電池において、
前記注液栓の外表面から突設する前記第１の環状突起の内側には、前記注液栓の外表面から凹設した環状の第１の溝が形成され、溶接時の溶融金属の一部が前記第1の溝に露出して固化していることを特徴とする密閉型電池。
【請求項８】
請求項６記載の密閉型電池において、
前記蓋の外表面から突設する第２の環状突起の外側には、前記蓋の外表面から凹設した環状の第２の溝が形成され、溶接時の溶融金属の一部が前記第２の溝に露出して固化していることを特徴とする密閉型電池。
【請求項９】
請求項６記載の密閉型電池において、
前記注液栓の外表面から突設する前記第１の環状突起の内側には、前記注液栓の外表面から凹設した環状の第１の溝が形成され、前記蓋の外表面から突設する第２の環状突起の外側には、前記蓋の外表面から凹設した環状の第２の溝が形成され、溶接時の溶融金属の一部が前記第１および第２の溝に露出して固化していることを特徴とする密閉型電池。
【請求項１０】
請求項１乃至９のいずれか１項に記載の密閉型電池において、
前記注液口は、段差部を形成する大径部と小径部とを有し、
前記注液栓は、前記段差部に載置されて前記大径部に嵌合される頭部と、前記小径部に嵌合されて軸芯を合わせる軸部とを備え、前記頭部の外周縁が前記注液口の大径部の内周縁に溶接されていることを特徴とする密閉型電池。
【請求項１１】
請求項１０に記載の密閉型電池において、
前記蓋は、前記注液口の小径部に対応する箇所の肉厚が厚くされ、前記注液栓の軸部は、前記肉厚の厚みと同等の長さに形成されていることを特徴とする密閉型電池。
【請求項１２】
請求項１乃至１１のいずれか１項に記載の密閉型電池において、
前記注液栓は円形であり、前記突起は円環状の突起であることを特徴とする密閉型電池。
【請求項１３】
請求項１乃至１２のいずれか１項に記載の密閉型電池において、
前記突起は、前記蓋の外表面よりも突出した位置にその頂面が位置するように前記注液栓の外表面または前記蓋の外表面から突設されていることを特徴とする密閉型電池。
【請求項１４】
請求項２記載の密閉型電池において、
前記注液口の内周面の外側に沿って蓋の外表面から凹設した環状の溝が形成され、溶接時の溶融金属の一部が前記溝に露出して固化していることを特徴とする密閉型電池。
【請求項１５】
請求項３記載の密閉型電池において、
前記注液口の内周面の外側に沿って蓋の外表面から凹設した環状の溝が形成され、溶接時の溶融金属の一部が前記注液栓および蓋の溝に露出して固化していることを特徴とする密閉型電池。
【請求項１６】
請求項４記載の密閉型電池において、
前記注液栓の周縁部には、前記注液栓の外表面から凹設した環状の溝が形成され、溶接時の溶融金属の一部が前記溝に露出して固化していることを特徴とする密閉型電池。
【請求項１７】
請求項５記載の密閉型電池において、
前記注液栓の周縁部には、前記注液栓の外表面から凹設した環状の溝が形成され、溶接時の溶融金属の一部が前記注液栓および蓋の溝に露出して固化していることを特徴とする密閉型電池。
【手続補正２】
【補正対象書類名】明細書
【補正対象項目名】０００７
【補正方法】変更
【補正の内容】
【０００７】
（１）本発明による密閉型電池は、電極捲回群が収納された缶と、電解液を注入する注液口を有し、前記缶の開口部を密閉する蓋と、前記注液口に嵌合され、溶接により前記注液口を封止する注液栓とを有し、前記注液栓の外表面、および前記注液口に連接する前記蓋の外表面のいずれか一方に、溶接時に溶融される突起が設けられ、溶接時の前記突起の溶融金属も利用して前記注液栓が前記注液口に溶接され、溶融金属の側方が開放されていることを特徴とする。
突起は、前記注液栓の外周縁の外表面から突出して環状に形成することが好ましい。
この例では、注液栓の外表面から突設する突起の内側に、前記注液栓の外表面から凹設した環状の溝を形成すると、溶接時の溶融金属の一部が溝に露出して固化するのでさらに好ましい。
注液栓に溝を形成する代わりに、注液口の内周面の外側に沿って蓋の外表面から凹設した環状の溝を形成してもよい。この例でも、溶接時の溶融金属の一部が前記溝に露出して固化するので、良好な溶接品質が得られる。
注液栓の溝に加えて、注液口の内周面の外側に沿って蓋の外表面から凹設した環状の溝を形成すると、溶接時の溶融金属の一部が前記注液栓および蓋の溝に露出して固化するので、さらに良好な溶接品質が得られる。
（２）  前記突起は、前記注液口の内周面に連接する前記蓋の外表面から突出して環状に形成してもよい。
この例でも、前記蓋の外表面から突設する突起の外側に、前記蓋の外表面から凹設した環状の溝を形成すると、溶接時の溶融金属の一部が溝に露出して固化するので、良好な溶接品質が得られる。
蓋の溝に代えて前記注液栓の外表面から凹設した環状の溝を形成してもよい。この例でも、溶接時の溶融金属の一部が溝に露出して固化するので良好な溶接品質が得られる。
（３）  注液栓の外周縁の外表面から突出して環状に形成されている第1の環状突起と、
前記注液口の内周面に近接する前記蓋の外表面から突出して環状に形成されている第２の環状突起の双方を設けてもよい。
この例では、前記注液栓の外表面から突設する前記第１の環状突起の内側に、前記注液栓の外表面から凹設した環状の第１の溝を形成してもよく、この場合、溶接時の溶融金属の一部が前記第1の溝に露出して固化するので、良好な溶接品質が得られる。
あるいは、蓋の外表面から突設する第２の環状突起の外側に、前記蓋の外表面から凹設した環状の第２の溝を形成してもよい。この場合は、溶接時の溶融金属の一部が前記第２の溝に露出して固化するので、良好な溶接品質が得られる。
前記注液栓の周縁部に、前記注液栓の外表面から凹設した環状の溝をさらに形成してもよい。この例では、溶接時の溶融金属の一部が前記注液栓および蓋の溝に露出して固化するので、良好な溶接品質が得られる。
（４）上記第１および第２の環状突起と、環状の第１および第２の溝のそれぞれを設けてもよい。この場合、溶接時の溶融金属の一部が前記第１および第２の溝に露出して固化するので、さらに良好な溶接品質が得られる。
（５）前記注液口は、段差部を形成する大径部と小径部とを有するように構成することができる。
この例では、注液栓は、段差部に載置されて前記大径部に嵌合される頭部と、前記小径部に嵌合されて軸芯を合わせる軸部とを備え、前記頭部の外周縁が前記注液口の大径部の内周縁に溶接される。この場合、蓋は、前記注液口の小径部に対応する箇所の肉厚を厚くし、注液栓の軸部を、肉厚の厚みと同等の長さに形成することが好ましい。
前記注液栓を円形、前記突起を円環状にするのが好ましい。
また、突起は、前記蓋の外表面よりも突出した位置にその頂面が位置するように前記注液栓の外表面または前記蓋の外表面から突設するのが好ましい。